(57)【要約】【課題】従来の偏向ヨークの偏向効率を維持するような偏向ヨークを搭載し、画面の色ずれを低減することができるカラー陰極線管装置を提供することを目的とする。【解決手段】絶縁枠（図示せず）を介して、内面に水平偏向コイル１２が配設され、外面にサドル型の垂直偏向コイル１３が配設され、垂直偏向コイル１３を覆うようにフェライトコア１４が配設されている。また、水平偏向コイル１２の電子銃側から見た場合に、電子銃側のベンド部１５は、左右に張り出した第１のベンド部１５ａ及び第２のベンド部１５ｂからなっている。また、第１のベンド部１５ａと第２のベンド部１５ｂの外側円弧部分は切れ目なく繋がっており、第１のベンド部１５ａと第２のベンド部１５ｂの境界部分の外側円弧部分は、渡り部１７の電子銃側上面とほぼ同じ高さとなるように成形されている。【選択図】  図２
2004171810.tif 000002
【特許請求の範囲】
【請求項１】
渡り部と当該渡り部の電子銃側に形成されたベンド部を有する水平偏向コイル、当該水平偏向コイルの外側に設けられた垂直偏向コイル及び当該垂直偏向コイルの外側に設けられたフェライトコアを備えた偏向ヨークを搭載したカラー陰極線管装置であって、
当該偏向ヨークが備えられるカラー陰極線管装置の管軸をＺ軸とし、Ｚ軸を通りかつＺ軸に垂直な水平方向の軸をＸ軸とし、Ｚ軸を通りかつＺ軸に垂直な垂直方向の軸をＹ軸とし、前記ベンド部の電子銃側端を含む平面をＸＹ平面として、前記ベンド部を電子銃側から見たときに、
前記ベンド部が、前記渡り部の電子銃側表面よりもＹ軸から遠ざかる方向であってＸ軸に略平行に延在する張り出し部分を有し、
前記張り出し部分の最外端から前記ベンド部の外側円弧に沿ってＹ軸に向かった場合に、Ｚ軸と前記ベンド部の外側円弧とを結ぶ直線の長さが徐々に小さくなるとともに、Ｙ軸近傍においてＺ軸と前記渡り部の電子銃側表面とを結ぶ距離とほぼ等しくなることを特徴とするカラー陰極線管装置。
【請求項２】
前記ベンド部近傍に磁性体が設けられたことを特徴とする請求項１記載のカラー陰極線管装置。
【発明の詳細な説明】
【０００１】
【発明の属する技術分野】
本発明は、ベンド部を有する偏向ヨークを搭載したカラー陰極線管装置に関するものである。
【０００２】
【従来の技術】
近年、テレビセットの大型化に伴って陰極線管の奥行きの縮小化、すなわち陰極線管の全長短縮化が強く要望される中で、陰極線管の広偏向角化に関して盛んに検討されている。しかしながら、陰極線管の偏向角度を広げることは、偏向ヨークの偏向角度を広げることになり、偏向ヨークの偏向効率の悪化を引き起こしていた。一方、近年の環境問題という観点からテレビセットの省エネ化すなわち偏向効率（特に水平偏向効率）の向上も強く要望されている。
【０００３】
水平偏向効率を向上させた従来のベンドレス型偏向ヨークについて図８を用いて説明する（例えば、特許文献１参照）。図８は従来のベンドレス型偏向ヨークの側面図であり、この偏向ヨーク１０１は、絶縁枠（図示せず）を介してその内側に水平偏向コイル１０２が配設され、その外側に垂直偏向コイル１０３が配設されており、この垂直偏向コイル１０３の外側にフェライトコア１０４が配設されて構成されている。また、水平偏向コイル１０２の電子銃側渡り部１０５は、その渡り部１０５を曲げて形成されるベンド部を設けることなく、管軸（Ｚ軸）方向電子銃側に倒した構成である。この構成により、ベンド部を有する偏向ヨークよりも電子銃側に水平偏向コイルが延長される。従って、偏向中心を電子銃側に移動させることができるので、偏向効率を向上させることができる。尚、一例としてベンドアップ型偏向ヨークの場合、その偏向効率は約１７．５ｍＨＡ２であったのに対し、ベンドレス型偏向ヨークの場合、偏向効率を約１６ｍＨＡ２とすることができた。
【０００４】
【特許文献１】
特開２００２−１１７７８６号公報
【０００５】
【発明が解決しようとする課題】
しかしながら、上記従来のベンドレス型偏向ヨークを用いたカラー陰極線管装置は以下の問題点を有している。
【０００６】
偏向ヨークにおいては、画面の中心位置での色ずれを補正するためのコンバーゼンスヨーク１０６を配設するが、従来のベンドレス型偏向ヨークではスペース等の問題から図８に示すように水平偏向コイル１０２の渡り部１０５の外周に取り付けなければならなかった。このためコンバーゼンスヨーク１０６の径は大きくせざるを得ず、管内の電子ビームから遠ざかる構造となっていた。従って、十分な補正量を得るために着磁量の大きいコンバーゼンスヨークを用いる必要があった。この場合、動作中のコンバーゼンスヨーク１０６の温度上昇によるコンバーゼンスヨークの着磁量の変化が、着磁量の絶対値が大きいためにその着磁量変化も大きくなることから、径の大きいコンバーゼンスヨークでは図９に示すように赤（Ｒ）と青（Ｒ）の縦線色ずれにより画面の色ずれが生じるという問題があった。
【０００７】
本発明は、これらの問題を解決するためになされたものであり、従来の偏向ヨークの偏向効率を維持するような偏向ヨークを搭載し、画面の色ずれを低減することができるカラー陰極線管装置を提供することを目的とするものである。
【０００８】
【課題を解決するための手段】
本発明に係る偏向ヨークは、渡り部と当該渡り部の電子銃側に形成されたベンド部を有する水平偏向コイル、当該水平偏向コイルの外側に設けられた垂直偏向コイル及び当該垂直偏向コイルの外側に設けられたフェライトコアを備えた偏向ヨークを搭載したカラー陰極線管装置であって、当該偏向ヨークが備えられるカラー陰極線管装置の管軸をＺ軸とし、Ｚ軸を通りかつＺ軸に垂直な水平方向の軸をＸ軸とし、Ｚ軸を通りかつＺ軸に垂直な垂直方向の軸をＹ軸とし、前記ベンド部の電子銃側端を含む平面をＸＹ平面として、前記ベンド部を電子銃側から見たときに、前記ベンド部が、前記渡り部の電子銃側表面よりもＹ軸から遠ざかる方向であってＸ軸に略平行に延在する張り出し部分を有し、前記張り出し部分の最外端から前記ベンド部の外側円弧に沿ってＹ軸に向かった場合に、Ｚ軸と前記ベンド部の外側円弧とを結ぶ直線の長さが徐々に小さくなるとともに、Ｙ軸近傍においてＺ軸と前記渡り部の電子銃側表面とを結ぶ距離とほぼ等しくなることを特徴とするものである。
【０００９】
【発明の実施の形態】
以下、本発明の実施の形態に係るカラー陰極線管装置について図を用いて説明する。
【００１０】
まず、本発明の実施形態に係るカラー陰極線管装置について、図７を参照しながら説明する。図７に示すように、本実施形態に係るカラー陰極線管装置７０は、画面表示部７１がほぼ矩形状のガラス製のパネル７２、このパネル７２に連接された漏斗状のガラス製ファンネル７３及びこのファンネル７３に連接された円筒状のガラス製のネック部７４からなる真空外囲器を有する。また、ネック部７４側からファンネル７３側にかけて偏向ヨーク１１が装着されており、ファンネル７３は、ネック部７４との連接部から偏向ヨーク１１の装着される位置までの径小部、いわゆるヨーク部７５を有する。パネル７２の内面には、青、緑、赤に発光するドット状またはストライプ状の３色蛍光体層からなる蛍光体スクリーン７６が設けられ、この蛍光体スクリーン７６に対向するようにして、内側に多数の電子ビーム通過孔が形成されたシャドウマスク７７が配置されている。
【００１１】
ネック部７４内には３本の電子ビーム７８を射出するインライン型の電子銃７９が配設されている。電子ビーム７８は、偏向ヨーク１１の発生する水平、垂直偏向磁界により水平、垂直方向に偏向され、シャドウマスク７７を介して蛍光体スクリーン７６に水平、垂直走査され、これにより、カラー画像を表示する。
【００１２】
次に、本実施形態に係るカラー陰極線管に搭載する偏向ヨークについて図１を参照しながら説明する。
【００１３】
図１に示すように、本実施形態に係るカラー陰極線管装置に搭載する偏向ヨーク１１は、絶縁枠（図示せず）を介して、その絶縁枠の内面にはサドル型の水平偏向コイル１２が配設され、絶縁枠の外面にはサドル型の垂直偏向コイル１３が配設されたものである。また、垂直偏向コイル１３の外側には垂直偏向コイル１３を覆うようにフェライトコア１４が配設されている。また、水平偏向コイル１２の電子銃側にはベンド部１５が形成されている。
【００１４】
次に、本実施形態に係るカラー陰極線管装置の偏向ヨークの水平偏向コイルについて図２を用いて説明する。図２に示すように、水平偏向コイル１２は、電子銃側のベンド部１５、スクリーン側ベンド部１６及びベンド部１５、１６間の渡り部１７とで構成されている。
【００１５】
そして、電子銃側のベンド部１５は、左右に張り出した第１のベンド部１５ａ及び第２のベンド部１５ｂからなっている。また、第１のベンド部１５ａと第２のベンド部１５ｂの外側円弧部分は切れ目なく繋がっており、第１のベンド部１５ａと第２のベンド部１５ｂの境界部分の外側円弧部分は、渡り部１７の電子銃側上面とほぼ同じ高さとなるように成形されている。
【００１６】
次に、図３を用いてベンド部１５の構成についてさらに詳細に説明する。尚、図３は、本実施形態に係る水平偏向ヨークの水平偏向コイルを電子銃側から見た図である。尚、カラー陰極線管装置の管軸をＺ軸とし、Ｚ軸を通りかつＺ軸に垂直な水平方向の軸をＸ軸とし、Ｚ軸を通りかつＺ軸に垂直な垂直方向の軸をＹ軸とするとともに、水平偏向コイルを電子銃側から見たときのベンド部の電子銃側端を含む平面をＸＹ平面とする。
【００１７】
図３に示すように、左右に張り出した第１のベンド部１５ａ及び第２のベンド部１５ｂはそれぞれ、渡り部１７の電子銃側表面よりもＹ軸から遠ざかる方向であってＸ軸に略平行に延在する略直線部１８と、この略直線部１８につながる略円弧部１９とからなっており、第１のベンド部１５ａ及び第２のベンド部１５ｂの略円弧部同士はＹ軸上で繋がっている。尚、略直線部１８、略円弧部１９及び渡り部１７のベンド部１５側端２０で囲まれる部分には空隙２１が形成されている。
【００１８】
略円弧部１９は、ベンド部の外側円弧２２とＺ軸上の原点（Ｘ＝０、Ｙ＝０）とを結ぶ直線の長さをＸ１としたときに、その直線の一端である外側円弧端２３が円弧に沿って張り出し部分の最外端からＹ軸に向かった場合に、Ｘ１が徐々に小さくなるとともに、そのＸ１がＹ軸近傍で渡り部１７の電子銃側（ベンド側）端の表面高さＲ１とほぼ等しくなっているものである。
【００１９】
このように本実施形態に係る偏向ヨークは、上記ベンド部１５の構造により、偏向に寄与するＹ成分が加算されるので、従来のベンドレス型偏向ヨークのように電子銃側に水平偏向コイルを延長して偏向効率を向上するような構造としなくても、ベンドレス型偏向ヨークとほぼ同等の偏向効率を維持することができる。
【００２０】
しかも、本実施形態に係る偏向ヨークは、従来のベンドレス型偏向ヨークのように電子銃側にベンド部を倒すというように、水平偏向コイルを電子銃側に延長する構造のものではないため、コンバーゼンスヨークを水平偏向コイル１２の外周に取り付ける必要はない。従って、ベンドレス型の偏向ヨークに用いられるコンバーゼンスヨークよりも径の小さいコンバーゼンスヨークを用いることができ、これにより着磁量の小さいコンバーゼンスヨークを用いることができる。よって、動作中のコンバーゼンスヨークの温度上昇に伴う着磁量変化も小さくすることができ、画面の色ずれを小さくすることができる。
【００２１】
また、本実施形態に係る偏向ヨークは、水平偏向コイルのベンド部１５がＸ軸方向に延びた略直線部２７が形成されているため、ベンド部１５近傍に磁性体からなる補正片を設けることで画面左右の縦線色ずれを十分に補正することができる。以下、この画面左右の縦線色ずれの補正について図４を用いて説明する。
【００２２】
図４に示すように、水平偏向コイルのベンド部１５近傍に補正片２４を配置した場合、略直線部２７から発生する偏向洩れ磁界２５はＹ軸方向を向いているため、補正片２４が効率よく磁化されて磁力線２６を発生させることができる。これにより、効率よく電子ビームを水平方向に移動させることができ、画面左右の縦線色ずれを効率よく補正することができる。
【００２３】
尚、本実施形態に係る偏向ヨークの水平偏向コイルのベンド部１５には、空隙２１を形成しているが、図５に示すように、空間を形成しなくともよい。また、本実施形態に係る偏向ヨークの水平偏向コイルのベンド部１５は、Ｚ軸に垂直な方向に曲げられているものであったが、図６に示すように、例えばベンド部の上端部が下端部よりもスクリーン側に位置するように、ベンド部がＺ軸に垂直な面２８に対し傾斜するように形成しても構わない。尚、図５は、ベンド部１５のみを示した図である。
【００２４】
次に、本実施形態に係るカラー陰極線管装置の効果について実験したので、その実験結果について説明する。
【００２５】
尚、本実施形態に係るカラー陰極線管装置として、２２インチ型のものを用い、図３に示すように、それに搭載される偏向ヨークは、水平偏向コイルの渡り部のベンド部側端２０の内面半径Ｒ２を１６ｍｍとし、ベンド部の外面円弧形状については、ベンド部のＹ軸からの張り出し距離Ｌ１を２６ｍｍとし、Ｙ軸上における原点から外面円弧までの距離Ｌ２を１９ｍｍとした。また、従来のベンドレス型偏向ヨークを備えたカラー陰極線管装置として、同じく２２インチ型のものを用い、その水平偏向コイルの渡り部形状は内面半径Ｒ２を１６ｍｍとし、Ｙ軸上における原点から外面円弧部分までの距離Ｌ２を１９ｍｍとした。また、水平偏向コイルの渡り部の全長は、従来のベンドレス型偏向ヨークは約１３０ｍｍであり、本実施形態に係る偏向ヨークは約１２５ｍｍであり、ベンド部分のみについて従来のベンドレス型偏向ヨークの方が本実施形態に係る偏向ヨークのものよりも電子銃側に５ｍｍ長くなっているものを用いた。
【００２６】
この結果、本発明の偏向ヨークの偏向効率は約１６ｍＨＡ２であった。従来のベンドレス型偏向ヨークの偏向効率が約１６ｍＨＡ２であったことから、本発明に係る偏向ヨークは従来のベンドレス型偏向ヨークと同程度の偏向効率を維持できることが分かった。また、従来のベンドレス型偏向ヨークでは直径６０ｍｍのコンバーゼンスヨークであったのに対し、本実施形態に係る偏向ヨークでは直径が４０ｍｍのコンバーゼンスヨークを用いることができるので、温度上昇による画面左右の赤（Ｒ）と青（Ｂ）の縦線色ずれＹｈ（図９）の変動量は０．１５ｍｍから０．０７ｍｍに低減することができた。
【００２７】
さらに、従来のベンドレス型偏向ヨークと本実施形態に係る偏向ヨークとで、縦（Ｙ方向）３０ｍｍ、横（Ｘ方向）５ｍｍ、高さ（Ｚ方向）５ｍｍの直方体の同じ補正片を用いて画面左右の縦線色ずれＹｈ（図９）の補正を行った場合、その最大補正量は、従来のベンドレス型偏向ヨークは０．４ｍｍであったのに対し、本実施形態に係る偏向ヨークは１．１ｍｍであり、本実施形態に係る偏向ヨークの方は従来のベンドレス型偏向ヨークに対して縦線色ずれに関する補正量を大幅に増加できることが分かった。尚、補正片として、上記直方体の上下からＹ軸に向かって平行に２０ｍｍ（断面は５（ｍｍ）×５（ｍｍ））延ばしたコの字型のものを用いても同様の結果となった。
【００２８】
【発明の効果】
本発明に係るカラー陰極線管装置は、それに搭載する水平偏向コイルの構造により、上記従来の偏向ヨークと同程度の偏向効率を維持しつつも、従来のベンドレス型偏向ヨークに対して画面の色ずれを低減することができる。さらに、水平偏向コイルのベンド部近傍に補正片を配置することで、縦線の色ずれ補正を効率よく行うこともできる。
【図面の簡単な説明】
【図１】本発明の実施形態に係るカラー陰極線管装置に搭載する偏向ヨークの上側側面図
【図２】本発明の実施形態に係るカラー陰極線管装置に搭載する偏向ヨークの水平偏向コイルの斜視図
【図３】本発明の実施形態に係る偏向ヨークの水平偏向コイルを電子銃側から見た図
【図４】本発明の実施形態に係る偏向ヨークに補正片を配置した図
【図５】本発明の実施形態に係る偏向ヨークの水平偏向コイルにおけるベンド部の第１変形例を示す図
【図６】本発明の実施形態に係る偏向ヨークの水平偏向コイルにおけるベンド部の第２変形例を示す図
【図７】本発明の実施形態に係るカラー陰極線管装置の一部切り欠き外観斜視図
【図８】従来の偏向ヨークの上部側面図
【図９】カラー陰極線管装置の画面色ずれを示す図
【符号の説明】
１１  偏向ヨーク
１２  水平偏向コイル
１３  垂直偏向コイル
１４  フェライトコア
１５  ベンド部
１７  渡り部
【図１】
2004171810.tif 000003
【図２】
2004171810.tif 000004
【図３】
2004171810.tif 000005
【図４】
2004171810.tif 000006
【図５】
2004171810.tif 000007
【図６】
2004171810.tif 000008
【図７】
2004171810.tif 000009
【図８】
2004171810.tif 000010
【図９】
2004171810.tif 000011